(57)【要約】【課題】  嵩張らず、かつ子供の購買意欲を高める添付物品付きの固形布状製品を提供する。【解決手段】  景品などの添付物品２の少なくとも一部を、柔軟で屈折自在な布状物１で包み、この布状物を圧搾或いは糊剤の添加により固定化させている。【選択図】図１
2005046310.tif 000002
【特許請求の範囲】
【請求項１】
景品などの添付物品２の少なくとも一部を、柔軟で屈折自在な布状物１で包み、この布状物を圧搾或いは糊剤の添加により定型化させてなる、添付物品付きの固形布状製品。
【請求項２】
上記布状物１は、上記添付物品２の周囲を、布地を巻き重ねて均等に包囲するように設け、かつこの布状物１を添付物品２とともにプレス加工で圧縮して、固化させてなることを特徴とする、請求項１に記載した、添付物品付きの固形布状製品。
【請求項３】
上記添付物品２を、人、動物、又はロボットなどのマスコットとし、かつそのマスコットの形態のうち頭部などの主要な部位を上記布状物１で覆ったことを特徴とする、請求項１乃至請求項２に記載した、添付物品付きの固形布状製品。
【発明の詳細な説明】
【技術分野】
【０００１】
本発明は、添付物品付きの固形布状製品、特に子供の好む景品付きの固形布状製品に関する。
【背景技術】
【０００２】
タオル、ハンカチなどが嵩張らないようにするため、金型でプレス加工し或いは糊剤を添加して定型化させた固形タオル等は良く知られている（特許文献１及び特許文献２）。
【０００３】
又、上記固形タオル等を、需要者、特に子供の興味を惹く形、例えば球形などに付形することも公知である（特許文献３）。
【特許文献１】実公昭53−21215号
【特許文献２】特開平11−9495号
【特許文献３】特開平2002−153397号
【発明の開示】
【発明が解決しようとする課題】
【０００４】
上記特許文献３のように固形タオル等自体の形を特定形状とした場合には、これを最初に見たときには面白味があるが、次回以降は意外性に欠けるため、需要者から飽きられ易い。
【０００５】
他方、子供向けの商品では、種類の異なるマスコット人形などの景品を各商品ごとに付して子供の購買意欲を刺激することが多いが、固形タオル等に景品を付するときには、両者をどのような形態で商品化するのかが問題となる。
【０００６】
例えば固形タオルなどは衛生上の要請からシュリンクフィルムで包装することが多いので、単にマスコット人形を固形タオルに添えてこれら両者全体を1枚のフィルムをシュリンク包装することも考えられるが、マスコット人形が有する角部分、例えば手足の先端部分にフィルムが当たって破けてしまうおそれがあり、又、製品が嵩張ることになる。又、包装フィルムを透明とした場合には、商品を購入する前から景品の種類が判ってしまい、そうでない場合に比べて購買意欲を半減させる。
【０００７】
そこで本発明は、嵩張らず、かつ子供の購買意欲を高める添付物品付きの固形布状製品とするため、添付物品の少なくとも一部を柔軟で屈折自在な布状物で包み、この布状物を圧縮或いは糊剤の添加により固定させたものを提供することを目的とする。尚、本明細書において、「布状製品」とは、布状物を主要部材とする製品をいうものとする。
【課題を解決するための手段】
【０００８】
第1の手段は、景品などの添付物品２の少なくとも一部を、柔軟で屈折自在な布状物１で包み、この布状物を圧搾或いは糊剤の添加により定型化させている。
【０００９】
第２の手段は、上記第１の手段を有し、かつ上記布状物１は、上記添付物品２の周囲を、布地を巻き重ねて均等に包囲するように設け、かつこの布状物１を添付物品２とともにプレス加工で圧縮して、固化させてなる。
【００１０】
第３の手段は、上記第1の手段又は第2の手段を有し、かつ上記添付物品２を、人、動物、又はロボットなどのマスコットとし、かつ上記添付物品２を、人、動物、又はロボットなどのマスコットとし、かつそのマスコットの形態のうち頭部などの主要な部位を上記布状物１で覆っている。
【発明の効果】
【００１１】
本発明は、上記構成のものであり、第1の手段に係る発明によれば次の効果を奏する。
○本発明に係る布状製品は、添付物品２の少なくとも一部を布状物１で包んだから、両者を一体的に持ち運び、又保管することができ、取り扱いに便利である。
○上記布状製品を包装するには、少なくとも布状物１の外面を包装フィルムで覆えば足り、この包装フィルタがマスコット人形の角部との当接により破れるおそれが少ない。
【００１２】
第２の手段に係る発明によれば、布状物１はプレス加工により圧縮固化しているから、
金型を用いて多数の布状物を効率的に固化しかつ添付物品と一体化することができる。
【００１３】
第３の手段に係る発明によれば、次の効果を奏する。
○上記添付物品２を、人、動物、ロボットなどのマスコットとしたから、子供の購買意欲を高めることができる。
○上記マスコットの形態のうち頭部などの主要な部位を布状物１で覆ったから、実際に商品を購入して布状物１を取り除いて見ないとそのマスコットの形態全体が判らないので、子供の想像力を刺激することができる。
○後述の如く、景品として複数種類のキャラクターのマスコットを別々の製品に添付する場合には、商品を購入するまではどのキャラクターのマスコットが添付されているのか判らないので、人気のあるキャラクターのマスコットを添付した商品のみが売れて、そうでないものが売れ残ることを防止することができる。
【発明を実施するための最良の形態】
【００１４】
図１乃至図４は、本発明の第１実施形態に係る添付物品付きの固形布状製品を示している。
【００１５】
この固形布状製品は、布状物１と添付物品２と包装フィルム５とで構成している。まず、各構成部材について説明をする。
【００１６】
布状物１は、展開した状態（図示せず）で長方形（正方形を含む）のもので、屈折及び圧縮可能な柔軟な材料で形成している。但し、展開状態での形状は適宜変更することができ、又、後述の如くシュリンクフィルムで布状物を固定する場合には、圧縮性は必ずしも必要ない。上記布状物１は、タオル地などの布地、或いは不織布で形成することができる。
【００１７】
添付物品２は、本実施形態では、景品用のマスコットとして形成している。もっとも、本明細書において、添付物品というときには、景品以外の実用品、例えばタオル類と共に使用する石鹸などの補助物品を含むものとし、又、景品というときは、ビー玉などマスコット以外の玩具などを含むものとする。又、「マスコット」とは、愛玩具乃至縁起物として人・動物・物などの形に付形したものをいい、例えばアニメ漫画のキャラクターやロボットなどの形にすることができる。尚、マスコットは、複数種類のものを用意しておき、マスコットの種類が異なる多数の添付物品付き布状製品を提供して子供の収集意欲を刺激するようにすることができる。
【００１８】
包装フィルム５は、例えばシュリンクフィルムとすることができる。尚、図示はしていないが、包装フィルムの一部には、破断部を設けるとよい。
【００１９】
そして上記布状物１は、添付物品２を芯としてその周囲に巻き付けられ、後述のプレス加工によりこの添付物品２全体を包み込むように固化されている。固化したときの添付物品２入り布状物１の形状は、図示のような丈の低い円柱形或いは角柱形とすることができる。又、固形した布状物の周面及び上下両端面の周辺部分には、包装フィルム５で覆っている。尚、上記固形布状物の表面全体を包装フィルム５で覆うこともできる。
【００２０】
これらの構成部材は、以下の工程により一体的に結合される。即ち、
(a)好ましくは長方形の布状物１を、図２に示す如く少なくとも添付物品２の高さＨよりも巾Ｗが広い帯状に折り畳み、
(b)この帯形に折り畳んだ布状物１を添付物品２の周面に固く巻き付けるとともに、添付物品２全体を布状物１で包囲し、
(c)上記の如く圧縮前の布状物１で添付物品２を包囲したもの（以下「添付物品包囲体」という）６を、図４(A)に示す如く、プレス用金型11の凹所12内へ挿入し、
(d)上記未圧縮の添付物品包囲体６を、同図(B)のように押下げ棒14で圧搾して、添付物  品入りの固形布状物となし、
(e)この固形布状物の表面を包装フィルム５で覆うことにより、
図１に示すような、添付物品入りの固形布状製品となる。
【００２１】
尚、以上の諸工程において、添付物品２の「高さ」、「周面」などの用語は、添付物品２をプレス用金型11の中に挿入したときの姿勢での高さなどをいうものとする。
【００２２】
ここで上記工程(a)において、上記添付物品２を、折り畳んだ布状物１の中へ巻き込む際には、この布状物の巾（Ｗ）方向中間位置に添付物品２を置き、この添付物品の巾方向両側にそれぞれ布状物圧縮代Ａをとることが望ましい。この圧縮代Ａの大きさは、布地の種類によって決まるが、通常のタオル地の場合には未圧縮の添付物品包囲体６はプレス作業によりもとの高さのおおよそ50〜60％程度にまで圧搾されるので、少なくとも折り畳んだ布状物１の巾Ｗの２割程度の圧縮代とすると良い。尚、本実施形態では、添付物品２の周囲に布状物１を巻き付けているが、これに代えて、例えば正方形の布状物１を四つ折りに（或いはその更に四つ折り）折り畳んで、この折り畳み状態の布状物１の中に添付物品２を包み込むことも可能であり、要は添付物品２の表面を幾重かの布地でほぼ均等に包囲するようにすればよい。このとき添付物品２の周りに巻き付けれた布状物の厚みｄは、上記添付物品包囲体６の半径ｒの約１／３以上とすることが好ましい。
【００２３】
又、上記工程(c)において、プレス用金型の凹所12の形状は、上記未圧縮の添付物品包囲体６の外径とほぼ等しい内径を有する略円筒形とし、この包囲体６の外面が上記凹所12の内面へほぼ密着するようにすることが望ましい。
【００２４】
又、上記工程(d)において、布地を固化させるために好適な圧搾力は、布地の種類によっても異なるが、通常のタオル地では約294N/cm2 (30kg/cm2)以上である。もっともこれ以下の圧搾力であっても多少固化の程度が落ちるに過ぎず、添付物品２の素材の強度が上述の数値の圧搾力に耐えられないときには、圧搾力を小さくするとともに、成形された固形布状物１の表面を包装フィルム５で緊縛して定型性を保てば良い。
【００２５】
次にこの布状製品を使用するときには、まず包装フィルムを破断させ、固形布状物１を水の中に漬けると、この布状物１がほぐれて内部の添付物品２を取り出すことができ、又、布状物１は、ほぐれた状態で普通のタオル類と同様に使用することができる。
【００２６】
尚、図示例では、プレス加工により布状物１を固化させているが、予め糊剤を添加させた布状物１を添付物品１の周りに巻き付け、図示例の場合よりも小さな力で圧縮して一定形状とした後、糊の作用で固化するようにしてもよい。又、プレス加工も糊剤の添加も行わず、添付物品２の周囲に布状物１を巻き付けた後にシュリンクフィルムなどの包装フィルム５で包装し、この包装フィルムの収縮力で布状物１の形を一定に保持するように設けても良い。
【００２７】
図５及び図６は本発明の第２実施形態を示している。この実施形態は、添付物品２の一部に上記布状物１を巻き付けたものである。
【００２８】
既述の如く添付物品２として複数種類のマスコットを提供する場合においては、その形態上の主要な部位４、例えば頭部に変化をつけ、それ以外の箇所は類似の形態としたバリエーションもののマスコットとすることがあり、そのときには、そのマスコットの主要な部位４のみを上記布状物１で覆えば、商品を購入するまではマスコットの種類が判ることを防止することができる。又、図示例では、マスコットの脚に相当する部分が布状物１から突出しており、一見して景品付きであることが判るので、子供の購買意欲を更に高める。
【００２９】
本実施形態のように固形布状製品を成形する場合には、図６に示す如く、布状部１を添付物品２の主要部位４を含む部分に巻き付けるとともに、その添付物品２のうち布状部１からの食み出し部分（図示例ではマスコットの脚相当部分）を挿入するための挿入穴13を、プレス用金型11の凹所12底面に形成し、その挿入穴13に上記添付物品２の食み出し部分を収納するように添付物品包囲体６を上記凹所12へ取り付け、第1実施形態と同様にプレス加工をすれば良い。
【産業上の利用可能性】
【００３０】
本発明に係る布状製品は、タオル、ハンカチ、手拭い、雑巾、Ｔシャツなどの衣服に適用することができる。
【図面の簡単な説明】
【００３１】
【図１】本発明の第1の実施形態に係る添付物品付き布状製品の斜視図である。
【図２】図１の布状製品に組み立ての一工程を示す説明図である。
【図３】図１の布状製品に組み立ての他の一工程を示す説明図である。
【図４】図１の布状製品に組み立ての更に他の一工程を示す説明図である。
【図５】本発明の第２の実施形態に係る添付物品付き布状製品の斜視図である。
【図６】図５の布状製品に組み立ての一工程を示す説明図である。
【符号の説明】
【００３２】
１…布状物  ２…添付物品  ４…主要部位  ５…包装フィルム  ６…添付物品包囲体
11…プレス用金型  12…凹所  13…挿入穴    14…押下げ棒
【図１】
2005046310.tif 000003
【図２】
2005046310.tif 000004
【図３】
2005046310.tif 000005
【図４】
2005046310.tif 000006
【図５】
2005046310.tif 000007
【図６】
2005046310.tif 000008